(57)【特許請求の範囲】
【請求項１】
回転可能で、且つ、回転軸方向に対して直角方向に移動可能な操作部と、回転可能な回転体を有する回転型電気部品と、プッシュスイッチと、前記操作部と前記回転型電気部品の回転体との間に設けたオルダム接ぎ手とを備え、前記操作部の回転で、前記オルダム接ぎ手を介して前記回転体を回転して前記回転型電気部品を操作し、また、前記操作部を、回転軸方向に対して直角方向に移動した時、回転軸方向に移動して前記プッシュスイッチを操作する移動体を設けたことを特徴とする多方向入力装置。
【請求項２】
前記回転体の中心部に設けた孔に、移動体を配設し、前記操作部を、回転軸方向に対して直角方向に移動した時、前記移動体を回転軸方向に移動して前記プッシュスイッチを操作するようにしたことを特徴とする請求項１記載の多方向入力装置。
【請求項３】
前記操作部と前記移動体の何れか一方には凸部を、他方には凹部を設け、前記操作部を、回転軸方向に対して直角方向に移動した時、前記凸部と凹部により前記移動体を回転軸方向に移動して前記プッシュスイッチを操作するようにしたことを特徴とする請求項１、又は２記載の多方向入力装置。
【請求項４】
前記移動体が、前記プッシュスイッチの可動体により前記操作部に付勢されたことを特徴とする請求項２、又は３記載の多方向入力装置。
【請求項５】
前記オルダム接ぎ手に係止部を設けて、回転軸方向の抜け防止を行うようにしたことを特徴とする請求項１、又は２、又は３、又は４記載の多方向入力装置。
【請求項６】
前記オルダム接ぎ手は、前記係止部を有する二つの腕部が間隔を置いて配置され、この二つの腕部間で、突部が摺動するガイド部を形成した構成としたことを特徴とする請求項５記載の多方向入力装置。
【請求項７】
前記ガイド部を形成する二つの腕部を、前記オルダム接ぎ手の伝達部の両側に、それぞれ二組設けたことを特徴とする請求項６記載の多方向入力装置。
【請求項８】
前記操作部の外壁に突部を設け、また、前記回転体に突部を設け、前記伝達部に形成した二つの腕部間で、前記操作部の突部と前記回転体の突部を挟持したことを特徴とする請求項７記載の多方向入力装置。
【発明の詳細な説明】
【０００１】
【発明の属する技術分野】
本発明は自動車、オーデオ機器、ゲーム機器、携帯電話機等に使用して好適な多方向入力装置に関する。
【０００２】
【従来の技術】
従来において、携帯用電子機器等に使用される多方向入力装置は、特開平８ー２０３３８７号で開示されたものがある。
この多方向入力装置は、図５ー図８に示すように、操作部Ｓを、回転することにより回転型部品Ｒを操作し、また、操作部Ｓを、軸方向に対して直角方向に移動させることによりプッシュスイッチＰを操作するものである。
そして、回転型部品Ｒは、一対の摺動接片５０ａ、５０ｂを備えた接点体５０を箱形ケース５１に固定し、この箱形ケース５１内には、前記摺動接片５０ａと摺接する接点板５２を固定した回転体５３を、軸５４で回転可能に取り付けた構成となっている。
また、プッシュスイッチＰは、筺体５５内に接点部（図示せず）を設け、筺体５５に移動可能に取り付けられた操作ボタン５６を設けた構成となっている。
【０００３】
また、図８に示すように、平板状の絶縁基板５８には、回転型部品Ｒをガイドするための凹部５８ａと、この凹部５８ａの両側に位置し、回転型部品Ｒの抜け止めのための一対のレール５８ｂと、前記凹部５８ａと間隔を置いた凹部５８ｃと、突部５８ｄとが設けられている。
更に、絶縁基板５８には、固定接点５９が、凹部５８ａ内で露出した状態で埋設されている。
そして、絶縁基板５８の凹部５８ａに、回転型部品Ｒのケース５１を載置し、且つ、レール５８ｂを、ケース５１の段部５１ａに当接させ、また、突部５８ｄに掛け止めしたねじりバネ６０で、ケース５１を弾圧して、回転型部品Ｒが絶縁基板５８に取り付けられている。
そして、回転型部品Ｒが取り付けられた際は、摺動接片５０ｂが、絶縁基板５８上の露出した接点５９ａに接触した状態となっている。
【０００４】
また、絶縁基板５８の凹部５８ｃには、プッシュスイッチＰの筺体５５がはめ込まれ、操作ボタン５６が回転型部品Ｒのケース５１の突起５１ｂに対向した状態で、プッシュスイッチＰが絶縁基板５８に取り付けられている。
更に、操作部Ｓが、回転型部品Ｒの回転体５３にネジ６１で取り付けられた構成となっている。
【０００５】
次に、従来の多方向入力装置の動作を説明すると、先ず、操作部Ｓを回転すると、この回転に伴って、回転体５３が軸５４を中心にして回転する。
すると、回転体５３に取り付けられた接点板５２も回転して、摺動接片５０ａに接離して接点の切り換えが行われ、この接点の切り換えが摺動接点５０ｂと接点５９ａを介して固定接点５９に導出される。
次に、操作部Ｓを、軸５４の軸方向に対して直角方向、即ち、矢印Ｙ方向に押圧すると、操作部Ｓは、回転型部品Ｒを伴って、ねじりバネ６０に抗して矢印Ｙ方向に移動する。
この時、摺動接片５０ｂは、固定接点５９の接点５９ａ上に摺動して、回転型部品Ｒの電気接続を維持した状態で、ケース５１の突起５１ｂがプッシュスイッチＰの操作ボタン５６を押圧する。
【０００６】
すると、プッシュスイッチＰの接点の切り換えが行われ、しかる後、操作部Ｓの押圧を解除すると、ねじりバネ６０によって、回転型部品Ｒは操作部Ｓを伴って押圧前の状態に移動する。
この時、摺動接片５０ｂは接点５９ａ上を摺動して、回転型部品Ｒの電気接続を維持すると共に、操作ボタン５６は押圧前の状態に戻り、プッシュスイッチＰの接点の切り換えが行われる。
このように、操作部Ｓを回転することにより回転型部品Ｒを操作し、また、操作部Ｓを、軸方向に対して直角方向に移動させることによりプッシュスイッチＰを操作するものである。
【０００７】
【発明が解決しようとする課題】
従来の多方向入力装置は、操作部Ｓを、軸方向に対して直角方向に移動させた時、回転型部品Ｒが移動するため、装置が大型に成るという問題がある。
また、回転型部品Ｒの移動時、回転型部品Ｒの電気接続の維持のため、摺動接片５０ｂを固定接点５９に摺接させる構成を必要とし、このため、長寿命化を図ることが難しく、且つ、その構成が面倒で、コスト高に成るという問題がある。
【０００８】
【課題を解決するための手段】
上記課題を解決するための第１の解決手段として、回転可能で、且つ、回転軸方向に対して直角方向に移動可能な操作部と、回転可能な回転体を有する回転型電気部品と、プッシュスイッチと、前記操作部と前記回転型電気部品の回転体との間に設けたオルダム接ぎ手とを備え、前記操作部の回転で、前記オルダム接ぎ手を介して前記回転体を回転して前記回転型電気部品を操作し、また、前記操作部を、回転軸方向に対して直角方向に移動した時、回転軸方向に移動して前記プッシュスイッチを操作する移動体を設けた構成とした。
また、第２の解決手段として、前記回転体の中心部に設けた孔に、移動体を配設し、前記操作部を、回転軸方向に対して直角方向に移動した時、前記移動体を回転軸方向に移動して前記プッシュスイッチを操作するようにした構成とした。
また、第３の解決手段として、前記操作部と前記移動体の何れか一方には凸部を、他方には凹部を設け、前記操作部を、回転軸方向に対して直角方向に移動した時、前記凸部と凹部により前記移動体を回転軸方向に移動して前記プッシュスイッチを操作するようにした構成とした。
また、第４の解決手段として、前記移動体が、前記プッシュスイッチの可動体により前記操作部に付勢された構成とした。
また、第５の解決手段として、前記オルダム接ぎ手に係止部を設けて、回転軸方向の抜け防止を行うようにした構成とした。
また、第６の解決手段として、前記オルダム接ぎ手は、前記係止部を有する二つの腕部が間隔を置いて配置され、この二つの腕部間で、突部が摺動するガイド部を形成した構成とした構成とした。
また、第７の解決手段として、前記ガイド部を、前記オルダム接ぎ手の伝達部の両側に、それぞれ二組設けた構成とした。
更に、第８の解決手段として、前記操作部の外壁に突部を設け、また、前記回転体に突部を設け、前記伝達部に形成した二つの腕部間で、前記操作部の突部と前記回転体の突部を挟持した構成とした。
【０００９】
【発明の実施の形態】
次に、本発明における多方向入力装置を、図１から図３に基づいて説明すると、図１は本発明の多方向入力装置の要部断面図であって、操作部付近においては図３のＢ−Ｂ断面、それ以外は図３のＡ−Ａ断面を示し、図２は本発明の多方向入力装置に係るオルダム接ぎ手を説明するための要部の分解斜視図、図３は本発明の多方向入力装置に係るオルダム接ぎ手を説明するための要部の平面図であって、操作部側から見た図、図４は本発明の多方向入力装置の動作を説明するための要部断面図である。
【００１０】
そして、合成樹脂の成型品から成る有底の円筒状の操作部１は、内部が中空部１ａとなし、外壁１ｂには、互いに間隔を置いて設けられた二組の窪み部１ｃ，１ｄと、この窪み部１ｃ，１ｄ内に位置し、中空部１ａと連通する孔１ｅ、１ｆと、所望の長さを持って、窪み部１ｃ，１ｄの底部によって構成された二組の突部１ｇ，１ｈと、中空部１ａ内に位置し、中央部に設けられた円錐形状等の傾斜面を有する凹部１ｊとを備えた構成となっている。
【００１１】
また、ロータリスイッチ、ロータリ型エンコーダ等から成る回転型電気部品Ｒを備えていて、この実施例ではロータリ型エンコーダを用いており、この回転型電気部品Ｒは、合成樹脂から成る絶縁ケース２に、固定接点（図示せず）が埋設されている。
また、金属板を折り曲げして形成された取付板３は、中心部に設けられた孔３ａと、下方に延びたプリント基板等への取付用の脚３ｂを有し、この取付板３は、絶縁ケース２の開放部を塞ぐように絶縁ケース２に取り付けられている。
【００１２】
また、合成樹脂の成型品から成る回転体４には、中心部に設けられた移動体挿入用の孔４ａと、外周部に設けられた凹凸部４ｂと、埋設された可動接点５を備えている。
そして、この回転体４は、絶縁ケース２と取付板３との間に収納されて、その一部が取付板３の孔３ａを貫通して外方に突出し、取付板３によって回転可能に取り付けられている。
そして、取り付けられた回転板３は、可動接点５が絶縁ケース２に固定された回転型電気部品Ｒ用の固定接点（図示せず）に接離して、接点の切り換えを行うようになっている。
また、回転体４と取付板３との間には、金属のバネ板から成るバネ６が設けられ、このバネ６は、回転体４の凹凸部４ｂに弾圧して、節度機構を構成し、回転体４の回転に節度を持たせている。
【００１３】
また、プッシュスイッチＰは、前記絶縁ケース１３に、金属板から成る固定接点７と導出端子８とが埋設され、金属のバネ板から成るドーム状の可動接点を兼ねる可動体９が絶縁ケース１３内に収納された可動接点９の周辺は、導出端子８に常時接触すると共に、可動接点９の中央部は固定接点７に接離可能に、固定接点７と対向した状態となっている。
また、前記絶縁ケース１３の開放部を塞ぐカバーを兼ねる可動体１４の可動片１４ａは、回転体４の孔４ａと対向した状態となっている。
また、前記回転体４の孔４ａには、棒状の移動体１０が配設され、この移動体１０のその一端には円錐等の傾斜面を有する凸部１０ａが設けられている。
そして、この移動体１０は、孔４ａ内で操作部１の回転軸方向Ｇの移動が可能で、移動体１０の一端の凸部１０ａは操作部１の凹部１ｊに嵌合し、移動体１０の他端は、プッシュスイッチＰの可動体１４の可動片１４ａと当接して、凸部１０ａを常時凹部１ｊに付勢して、操作部１を中立位置に保持するようになっている。
【００１４】
更に、操作部１と回転型電気部品Ｒの回転体４との間には、オルダム接ぎ手１１が設けられ、このオルダム接ぎ手１１により、操作部１は、回転と、回転軸方向Ｇに対して直角方向Ｈの移動とを可能にしている。
そして、前記オルダム接ぎ手１１は、図１〜図３に示すように、操作部１に設けられた二組の突部１ｇ，１ｈと、回転型電気部品Ｒの回転体４の外周面に、孔４ａを挟むように設けられた一対の矩形状の突部４ｃと、前記操作部１と前記回転体４との間に配設された伝達部１２とで構成されている。
【００１５】
そして、前記伝達部１２は、合成樹脂の成型品で作られ、前記回転体４と移動体１０とを挿通するための孔１２ａを有するリング状の筒部１２ｂと、該筒部１２ｂの一方の面には互いに間隔を置いて配置された状態で、先端部に互いに向かい合う係止部１２ｃを有する４つの腕部１２ｄが設けられ、一側で対向する二つの腕部１２ｄ、及び他側で対向する二つの腕部１２ｄ間で、ガイド部１２ｅが形成される。
また、該筒部１２ｂの他方の面には互いに間隔を置いて配置された状態で、先端部に互いに向かい合う係止部１２ｆを有する４つの腕部１２ｇが設けられ、一側で対向する二つの腕部１２ｇ、及び他側で対向する二つの腕部１２ｇ間で、ガイド部１２ｈが形成されている。
更に、一方の面に設けられた二組の腕部１２ｄ、及びガイド部１２ｅと、他方の面に設けられた二組の腕部１２ｇ，及びガイド部１２ｈとは、互いに直交した状態で形成されている。
【００１６】
そして、このオルダム接ぎ手１１は、伝達部１２が操作部１の中空部１ａに配設され、一方の面に設けられた腕部１２ｄの先端に設けた係止部１２ｃを、操作部１の孔１ｅ、１ｆから突出させて係止部１２ｃを突部１ｇ，１ｈに係止して、二つの腕部１２ｄ間で突部１ｇ，１ｈを挟持した状態で、伝達部１２が操作部１に組み合わされている。
この時、操作部１と伝達部１２とは、係止部１２ｃによって、回転軸方向Ｇに対して、互いに抜け止めがなされるようになっている。
また、オルダム接ぎ手１１は、他方の面に設けられた二つの腕部１２ｇの先端に設けた係止部１２ｆを、回転体４の突部４ｃに係止して、二つの腕部１２ｇ間で、一対のそれぞれの突部４ｃを挟持した状態で、伝達部１２が回転体４に組み合わされている。
この時、伝達部１２と回転体４とは、係止部１２ｆによって、回転軸方向Ｇに対して互いに抜け止めがなされ、伝達部１２によって、回転体４と操作部１とが組み合わせて取付られると共に、操作部１の端部は、取付板３と摺接できるようになっている。
【００１７】
このようなオルダム接ぎ手１１は、操作部１を回転すると、操作部１と回転体４との間に設けられた伝達部１２が回転し、この回転が回転体４に伝達されて、回転体４が回転して、回転型電気部品Ｒの切り換えが行われるようになる。
また、操作部１を、回転軸方向Ｇに対して直角方向Ｈに移動すると、二組の腕部１２ｄ間に形成されたガイド部１２ｅと操作部１の突部１ｇ，１ｈとの間、及び二組の腕部１２ｇ間に形成されたガイド部１２ｈと回転体４の突部４ｃとの間で摺動動作（回転軸方向Ｇに対して直角方向Ｈの摺動動作）を行い、回転体４を回転することなく、操作部１を直角方向に移動することが出来るようになっている。
なお、伝達部１２は、外壁１ｂ，孔４ａの回りの外壁によって、抜け落ちないようになっている。
また、操作部１を、直角方向Ｈに移動すると、操作部１の凹部１ｊに嵌合した移動体１０の凸部１０ａが、凹部１ｊの底部分によって押されて回転軸方向Ｇに移動出来るようになっている。
【００１８】
次ぎに、本発明の多方向入力装置の組立方法を説明すると、先ず、回転型電気部品Ｒと、プッシュスイッチＰとを組み立て、次いで、回転体４の孔４ａに、移動体１０を挿入する。
次に、回転体４の突部４ｃに、伝達部１２の二つの腕部１２ｇを合わせ、前記突部４ｃに係止部１２ｆ側から圧入すると、二つの腕部１２ｇ間が広がりながら圧入され、突部４ｃが二つの腕部１２ｇ間のガイド部１２ｈに位置すると、突部４ｃに係止部１２ｆが係止されると共に、二つの腕部１２ｇ間で突部４ｃを挟持して、伝達部１２を回転体４に取り付ける。
次に、操作部１を伝達部１２に合わせ、中空部１ａ内に伝達部１２、回転体４を挿入する。
【００１９】
そして、伝達部１２のそれぞれの係止部１２ｃを、操作部１の孔１ｅ、１ｆに合わせて圧入すると、操作部１の突部１ｇ，１ｈによって、二つの腕部１２ｄ間が広がりながら圧入され、係止部１２ｃが孔１ｅ、１ｆを貫通して、突部１ｇ，１ｆが二つの腕部１２ｄ間のガイド部１２ｅに位置すると、突部１ｇ，１ｆに係止部１２ｃが係止されると共に、二つの腕部１２ｄ間で突部１ｇ，１ｆを挟持して、伝達部１２に、操作部１が取り付けられて、その組立が完了する。
そして、組み立てられた際、移動体１０は、その一端がプッシュスイッチＰの可動体１４に当接して付勢されて、他端の凸部１０ａが操作部１の凹部１ｊに弾圧された状態となり、操作部１は中立位置を保持された状態となっている。
【００２０】
次ぎに、このような構成を有する本発明の多方向入力装置の動作を説明すると、図１において、先ず、操作部１を回転すると、操作部１と回転体４との間に設けられた伝達部１２が回転し、この回転が回転体４に伝達されて、回転体４が回転する。
すると、回転体４は、凹凸部４ｂとバネ６とによって、節度を持って回転すると共に、可動接点５は、固定接点（図示せず）と接離して、回転型電気部品Ｒの切り換えが行われるようになる。
また、次に、操作部１を、回転軸方向Ｇに対して直角方向Ｈに押圧・移動すると、上述したように、二つのの腕部１２ｄ間に形成されたガイド部１２ｅと操作部１の突部１ｇ，１ｈとの間、及び二つの腕部１２ｇ間に形成されたガイド部１２ｈと回転体４の突部４ｃとの間で摺動動作（回転軸方向Ｇに対して直角方向Ｈの摺動動作）を行い、回転体４を回転することなく、図４に示すように、操作部１を直角方向に移動する。
【００２１】
すると、図４に示すように、操作部１を、直角方向Ｈに移動すると、操作部１の凹部１ｊに嵌合した移動体１０の凸部１０ａが、凹部１ｊによって押されて回転軸方向Ｇに移動し、可動体１４の可動片１４ａが押圧され、この可動体１４によって可動接点９が押されて、可動接点９は反転運動する。
そして、可動接点９が反転運動すると、可動接点９が固定接点７に接触して、導出端子８と固定接点７との間が導通されて接点の切り換えが行われるようになる。
次いで、操作部１の直角方向Ｈの押圧を解除すると、可動接点９は、そのバネ性によって反転して元の状態に戻り、すると、固定接点７との接触が離れて状態になって、接点の切り換えが行われる。
また、可動接点９の反転運動により、可動体１４の可動片１４ａと移動体１０が元の状態に押し戻され、すると、移動体１０の凸部１０ａが、操作部１の凹部１ｊを押圧して、操作部１が中立位置の元の状態、即ち、図１に示すような状態となる。
【００２２】
このようにして、多方向入力装置の操作を行うが、図４では直角方向Ｈの押圧を、下方に押圧したもので説明したが、回転軸方向Ｇに対して直角方向Ｈで、３６０度の範囲、移動可能になっている。
なお、この実施例では、回転型電気部品ＲとプッシュスイッチＰは、それぞれ単独にユニット化して作り、両者を組み合わせるもので説明したが、両者を一つの絶縁ケース内で構成し、可動接点９が可動体１４を兼ねるなど、実施例以外の種々のものを適用できること勿論である。
【００２３】
【発明の効果】
本発明の多方向入力装置は、操作部と回転型電気部品の回転体との間に、オルダム接ぎ手を設けたものであるため、操作部を直角方向に移動したとき、回転型電気部品全体を移動することが無く、従って、スペースフアクタが良く、装置が小型となる。
また、回転型電気部品全体が移動しないため、従来のような移動時における摺動接点と固定接点が不要となり、長寿命化が図れると共に、安価な装置を提供できる。
また、操作部と回転体との間に、オルダム接ぎ手を設けたものであるため、両者をオルダム接ぎ手で結合でき、部品点数が少なく、組立性が良く、安価で、小型の装置を提供できる。
また、回転体の孔に移動体を配設したため、スペースフアクターの良い小型の装置を提供できる。
また、操作部と移動体との間に設けた凸部と凹部とで、移動体の回転軸方向の移動を行うようにしたため、その構成が簡単で、部費点数が少なく、組立性が良く、安価な装置を提供できる。
また、移動体がプッシュスイッチの可動体で付勢され、これによって、操作部を中立位置に保持するようにしたため、別部品を必要とせず、その構成が簡単で、組立性が良く、安価な装置が得られる、
また、オルダム接ぎ手に係止部を設けたため、操作部の回転軸方向の抜けを防止でき、操作の確実な装置を提供できる。
また、係止部を有する二つの腕部間で、ガイド部を形成したものであるため、小型で、材料の少ないオルダム接ぎ手が提供でき、しかも、合成樹脂で製作した時、腕部と突部との圧入動作により組立でき、組立性が良好で、生産性の良い装置が提供できる。
また、伝達部の両面に、二組の腕部を設けたため、両面にそれぞれ二つのガイド部が、回転軸方向に対して直角方向に形成された状態となり、オルダム接ぎ手における直角方向の移動をスムースに行うことが出来る。
更に、伝達部に設けた腕部で、操作部と回転体を組み合わせるようにしたため、別部品を必要とせず、その構成が簡単で、組立性が良く、しかも、小型で安価な装置を提供できる。
【図面の簡単な説明】
【図１】本発明の多方向入力装置の要部断面図。
【図２】本発明の多方向入力装置に係るオルダム接ぎ手を説明するための要部の分解斜視図。
【図３】本発明の多方向入力装置に係るオルダム接ぎ手を説明するための要部の平面図。
【図４】本発明の多方向入力装置の動作を説明するための要部断面図。
【図５】従来の多方向入力装置の斜視図。
【図６】従来の多方向入力装置の要部の断面図。
【図７】従来の多方向入力装置の要部の断面図。
【図８】従来の多方向入力装置に係る絶縁基板の斜視図。
【符号の説明】
Ｒ  回転型電気部品
Ｐ  プッシュスイッチ
１  操作部
１ａ  中空部
１ｂ  外壁
１ｃ、１ｄ  窪み部
１ｅ、１ｆ  孔
１ｇ，１ｈ  突部
１ｊ  凹部
２  絶縁ケース
３  取付板
３ａ  孔
３ｂ  脚
４  回転体
４ａ  孔
４ｂ  凹凸部
４ｃ  突部
５  可動接点
６  バネ
７  固定接点
８  導出端子
９  可動接点
１０  移動体
１０ａ  凸部
１１  オルダム接ぎ手
１２  伝達部
１２ａ  孔
１２ｂ  筒部
１２ｃ  係止部
１２ｄ  腕部
１２ｅ  ガイド部
１２ｆ  係止部
１２ｇ  腕部
１２ｈ  ガイド部
１３  絶縁ケース
１４  可動体
１４ａ  可動片
【図１】
0003744638.tif 000002
【図２】
0003744638.tif 000003
【図３】
0003744638.tif 000004
【図４】
0003744638.tif 000005
【図５】
0003744638.tif 000006
【図６】
0003744638.tif 000007
【図７】
0003744638.tif 000008
【図８】
0003744638.tif 000009